(57)【特許請求の範囲】
【請求項１】
映像信号を出力する映像信号出力回路において、
前記映像信号を増幅するアンプ回路と、
前記アンプ回路の出力が無信号時に出力を接地レベルとする出力回路とを有し、
前記出力回路は、
ＰＮＰトランジスタと負荷抵抗とを含み、
前記ＰＮＰトランジスタのエミッタが電源に接続され、ベースが前記アンプ回路の出力に接続され、コレクタが前記負荷抵抗の一端に接続されており、前記負荷抵抗の他端が接地されていることを特徴とする映像信号出力回路。
【請求項２】
前記出力回路は、前記映像信号の基準電位を接地レベルとして出力することを特徴とする請求項１記載の映像信号出力回路。
【請求項３】
前記映像信号の基準電位は、シンクチップレベルであることを特徴とする請求項２記載の映像信号出力回路。
【請求項４】
前記ＰＮＰトランジスタと前記負荷抵抗との接続点から前記映像信号を出力することを特徴とする請求項１記載の映像信号出力回路。
【請求項５】
前記出力回路は、出力信号を外部出力端子から出力するように接続されたことを特徴とする請求項１記載の映像信号出力回路。
【発明の詳細な説明】
【技術分野】
【０００１】
本発明は映像信号出力回路に係り、特に、映像信号を出力端子から出力する映像信号出力回路に関する。
【背景技術】
【０００２】
近年、ディジタルスチルカメラ、カメラ付き携帯電話などの映像信号を扱う携帯映像機器が普及しており、これらの機器には映像信号を出力する映像出力端子が設けられている。このとき、ＪＥＩＴＡ規格の規定により無信号時に出力される直流成分は０±０．１Ｖとする規定がある。このため、映像機器から映像信号を出力する映像出力回路と出力端子との間に直列にカップリング容量が接続されていた。
【０００３】
図４は従来の一例のブロック構成図を示す。
【０００４】
映像機器１１は映像出力端子Ｔvoutを有し、処理回路２１から供給される映像信号を映像ドライバＩＣ２２及びカップリングコンデンサＣ0を介して出力端子Ｔvoutから他の映像機器１２に映像信号を出力する。
【０００５】
映像ドライバＩＣ２２は、例えば、１チップの半導体集積回路から構成されており、アンプ３１、３２、クランプ回路３３、オペアンプ３４、抵抗Ｒ11〜Ｒ15から構成されている。映像ドライバＩＣ２２は、電池２３から供給される電源電圧により駆動され、処理回路２１から供給される映像信号を出力端子Ｔicoutから出力する。
【０００６】
また、映像ドライバＩＣ２２は、パワーセーブ端子Ｔpsを有する。パワーセーブ端子Ｔpsには、処理回路２１からパワーセーブ信号が供給されている。映像ドライバＩＣ２２は、処理回路２１からパワーセーブ信号が供給されると、信号を無信号状態とする。
【０００７】
映像ドライバＩＣ２２は、入力端子Ｔicinに処理回路２１から映像信号が供給される。入力端子Ｔicinに供給された映像信号は、オペアンプ３４の非反転入力端子に供給される。オペアンプ３４は、抵抗Ｒ11〜Ｒ14、アンプ３１、３２並びにクランプ回路３３により非反転入力端子及び反転入力端子がバイアスされ、抵抗Ｒ15により帰還がかけられた構成とされており、抵抗Ｒ11〜Ｒ15、アンプ３１、３２並びにクランプ回路３３とともに非反転増幅回路を構成している。
【０００８】
抵抗Ｒ11〜Ｒ13は、直列に接続されており、一端が電源端子Ｔvccに接続され、他端が接地された構成とされており、電源電圧Ｖccを分割し、抵抗Ｒ11と抵抗Ｒ12との接続点に電圧Ｖ11を発生し、抵抗Ｒ13と抵抗Ｒ12との接続点に電圧Ｖ12を発生する。
【０００９】
抵抗Ｒ11と抵抗Ｒ12との接続点に発生する電圧Ｖ11は、１．２Ｖでアンプ３１を介してオペアンプ３４の非反転入力端子に供給される。抵抗Ｒ12と抵抗Ｒ13との接続点に発生する電圧Ｖ12は、２．１Ｖである。電圧Ｖ12は、アンプ３２を介して抵抗Ｒ14の一端に供給される。アンプ３２の出力電圧Ｖaは、２．１Ｖである。アンプ３２の出力電圧Ｖaは抵抗Ｒ14により電圧降下されて、オペアンプ３４の反転入力端子に印加される。
【００１０】
抵抗Ｒ14により電圧降下されてオペアンプ３４の反転入力端子に供給される。オペアンプ３４の反転入力端子のバイアス電圧Ｖcは１．２Ｖである。
【００１１】
クランプ回路３３は、オペアンプ３４の非反転入力端子に接続されており、オペアンプ３４の非反転入力端子の電圧をクランプする。オペアンプ３４の出力は出力回路３５に供給される。
【００１２】
図５はオペアンプ３４のブロック構成図を示す。
【００１３】
オペアンプ３４は、アンプ回路４１及び出力回路４２から構成されている。アンプ回路４１は、映像信号を増幅して出力回路４２に供給する。
【００１４】
アンプ回路４１は、入力端子Ｔicinから供給された信号を増幅し、出力回路４２に供給する。
【００１５】
出力回路４２は、トランジスタＱ11及びトランジスタＱ12から構成されている。
【００１６】
トランジスタＱ11は、ＰＮＰトランジスタから構成されており、エミッタが電源端子Ｔvccに接続され、コレクタが出力端子Ｔicoutに接続され、ベースにアンプ回路４１の出力が供給される。トランジスタＱ12は、ＮＰＮトランジスタから構成されており、コレクタが出力端子Ｔicoutに接続され、エミッタが接地され、ベースにアンプ回路４１の出力が供給されている。
【００１７】
出力回路４２はアンプ回路４１からの映像信号に応じてトランジスタＱ11、Ｑ12がドライブし、出力端子Ｔicoutから映像信号に応じた信号が出力される。
【００１８】
図６は従来の一例の動作波形図を示す。図６（Ａ）は入力端子Ｔicinに供給される映像信号、図６（Ｂ）は映像ドライバＩＣ２２の出力端子Ｔicoutから出力される映像信号、図６（Ｃ）は外部映像出力端子Ｔvoutから出力される映像信号を示している。
【００１９】
入力端子Ｔicinはクランプ回路３３により１．２Ｖにクランプされているため、入力端子Ｔicinは、図６（Ａ）に示すように映像信号のシンクチップレベルが１．２Ｖとされ、無信号時では直流成分が１．２Ｖとされる。
【００２０】
オペアンプ３４は抵抗Ｒ14、Ｒ15とともに非反転増幅回路を構成しており、映像信号を非反転増幅して出力端子Ｔicoutから出力する。このとき、オペアンプ３４の出力回路４２は、図６に示すようにトランジスタＱ12を通して接地に接続されているため、無信号時でもトランジスタＱ12のコレクタ−エミッタ間電圧、略０．３Ｖ程度の直流成分が発生する。このままでは、ＪＥＩＴＡ規格の規定により無信号時の直流成分は０±０．１Ｖに適合しない。このような場合、一般的にはカップリング容量を介して直流成分を除去した信号を負荷に供給していた（特許文献１参照）。
【００２１】
よって、映像ドライバＩＣ２２と外部映像出力端子Ｔvoutとの間にカップリング容量Ｃ0が設けられていた。カップリング容量Ｃ0によって直流成分はカットされ、無信号時には、外部映像出力端子Ｔvoutの出力を０Ｖとすることができる。
【００２２】
なお、映像信号がカップリング容量Ｃ0を通過することにより図６（Ｃ）に示すように映像信号の負極性側の面積Ｓ11と映像信号の正極性側の面積Ｓ12とが同じになるようなレベルの波形で信号が出力される。
【特許文献１】特開平１１−２９８９９１号公報
【発明の開示】
【発明が解決しようとする課題】
【００２３】
しかるに、従来の映像出力回路は、ＪＥＩＴＡ規格の規定に適合するために、映像ドライバＩＣ２２の出力と出力端子Ｔvoutとの間に直流成分を取り除くためのカップリング容量を直列に挿入する必要があったため、映像機器の小型化が困難であった。
【００２４】
本発明は上記の点に鑑みてなされたもので、出力端子にカップリング容量などの直流成分を除去する部品が不要となる映像信号出力回路を提供することを目的とする。
【課題を解決するための手段】
【００２５】
本発明は映像信号を出力する映像信号出力回路において、映像信号を増幅するアンプ回路（４１）と、アンプ回路（４１）の出力が無信号時に出力を接地レベルとする出力回路（１３１）とを有し、前記出力回路は、ＰＮＰトランジスタ（Ｑ１１）と負荷抵抗（Ｒ３１）とを含み、前記ＰＮＰトランジスタ（Ｑ１１）のエミッタが電源に接続され、ベースが前記アンプ回路（４１）の出力に接続され、コレクタが前記負荷抵抗（Ｒ３１）の一端に接続されており、前記負荷抵抗（Ｒ３１）の他端が接地されていることを特徴とする。
【００２６】
出力回路（１３１）は、映像信号の基準電位を接地レベルとして出力することを特徴とする。なお、映像信号の基準電位は、シンクチップレベルであることを特徴とする。
【００２７】
また、前記ＰＮＰトランジスタ（Ｑ１１）と前記負荷抵抗（Ｒ３１）との接続点から映像信号を出力することを特徴とする。
【００２８】
出力回路（１３１）は、出力信号を外部出力端子（Ｔvout）から出力するように接続されたことを特徴とする。
【００２９】
なお、上記参照符号はあくまでも参考であり、これによって、特許請求の範囲が限定されるものではない。
【発明の効果】
【００３０】
本発明によれば、映像信号を出力する映像信号出力回路に映像信号を増幅するアンプ回路と、アンプ回路の出力が無信号時に出力を接地レベルとする出力回路とを設けることにより、無信号時の直流成分を略０Ｖにできるため、出力端子にカップリング容量を設ける必要がなくなり、よって、外付け部品を削減できるとともに、その実装面積を縮小化でき、また、コストを低減できる。
【発明を実施するための最良の形態】
【００３１】
図１は本発明の一実施例のブロック構成図を示す。同図中、図４と同一構成部分には同一符号を付し、その説明は省略する。
【００３２】
本実施例の映像機器１００は、映像ドライバＩＣ１１１の構成が図４とは相違する。本実施例の映像ドライバＩＣ１１１は、１チップの半導体集積回路から構成されており、オペアンプ１２１の構成が図４に示す映像ドライブ回路２２とは相違する。
【００３３】
図２はオペアンプ１２１のブロック構成図を示す。同図中、図５と同一構成部分には同一符号を付し、その説明は省略する。
【００３４】
本実施例のオペアンプ１２１は、出力回路１３１の構成が図５に示す出力回路４２とは相違している。本実施例の出力回路１３１は、アンプ回路４１からの映像信号の基準電位を接地レベルにして出力する。このとき、映像信号の基準電位は、シンクチップレベルである。
【００３５】
出力回路１３１は、図５に示す出力回路４２のトランジスタＱ12に変えてトランジスタＱ11のコレクタと出力端子Ｔicoutとの接続点と接地との間に抵抗Ｒ31を接続した構成とされている。
【００３６】
抵抗Ｒ31は、例えば、５００Ω程度である。トランジスタＱ12に変えて抵抗Ｒ31を接続することにより無信号時の電圧を略０Ｖ、さらに具体的には、０．０５Ｖ程度とすることが可能となる。したがって、映像ドライバＩＣ１１１の出力をカップリング容量Ｃ0など介さずにそのまま出力させても、ＪＥＩＴＡ規格の規定である無信号時０±０．１Ｖを満足することが可能となる。
【００３７】
出力回路１３１の出力である映像ドライバＩＣ１１１の出力端子Ｔicoutは、映像機器１００の外部出力端子Ｔvoutに直接的に接続されており、出力回路１３１の出力信号が映像機器１００の外部出力端子Ｔvoutから直接的に出力されるようにされている。
【００３８】
図３は本発明の一実施例の動作波形図を示す。図３（Ａ）は入力端子Ｔicinに供給される映像信号、図３（Ｂ）は出力端子Ｔicoutから出力される映像信号を示す。
【００３９】
入力端子Ｔicinはクランプ回路３３により１．２Ｖにクランプされているため、入力端子Ｔicinは、図３（Ａ）に示すように映像信号のシンクチップレベルが１．２Ｖとされ、無信号時には直流成分が１．２Ｖとされる。
【００４０】
オペアンプ１２１の出力回路１３１は、図２に示すように出力端子Ｔicoutを、抵抗Ｒ31を介して接地しているため、映像信号のシンクチップレベル、及び、無信号時にトランジスタＱ11が略オフ状態になると、略接地レベル、略０Ｖとなる。よって、カップリング容量Ｃ0を設けることなく、ＪＥＩＴＡ規格の規定である無信号時の直流成分は０±０．１Ｖに適合する。
【００４１】
これによって、映像ドライバＩＣ１１１の出力端子Ｔicoutと外部出力端子Ｔvoutとの間にカップリング容量Ｃ0を設ける必要がなくなる。よって、外付け部品を削減できるとともに、映像機器の実装面積を縮小化できる。また、コストを低減できる。
【００４２】
さらに、本実施例によれば、カップリング容量Ｃ0を通さずに映像信号を出力できるため、カップリング容量Ｃ0による映像信号の低周波成分の減衰を抑制でき、よって、出力端子voutから出力される映像信号の歪みを低減できる。
【００４３】
〔その他〕
なお、パワーセーブ時に映像ドライバＩＣ１１１はオフとなる。このとき、抵抗Ｒ31を高抵抗、例えば、２ＭΩ程度とすることにより、パワーセーブ時に外部出力端子Ｔvoutからのリーク電流を２μＡ程度に抑えることができる。また、出力端子Ｔvoutから他の信号を入力させ、映像機器１００内部の他の回路に供給することも可能となる。これによって、パワーセーブ時に出力端子Ｔvoutを入力端子と兼用することも可能となる。
【図面の簡単な説明】
【００４４】
【図１】本発明の一実施例のブロック構成図である。
【図２】オペアンプ１２４の回路構成図である。
【図３】本発明の一実施例の動作波形図である。
【図４】従来の一例のブロック構成図である。
【図５】オペアンプ３４のブロック構成図である。
【図６】従来の一例の動作波形図である。
【符号の説明】
【００４５】
１１、１２、１００  映像機器
２１  処理回路、２３  電池
３１、３２  アンプ、３３  クランプ回路
２２、１１１  映像ドライバＩＣ、３４、１２１  オペアンプ
４１  アンプ回路、４２、１３１  出力回路
Ｑ11、Ｑ12  トランジスタ、Ｒ11〜Ｒ15、Ｒ31  抵抗
【図１】
0004747862.tif 000002
【図２】
0004747862.tif 000003
【図３】
0004747862.tif 000004
【図４】
0004747862.tif 000005
【図５】
0004747862.tif 000006
【図６】
0004747862.tif 000007